(57)【要約】【課題】簡単な処理で、スイッチング素子のスイッチングに起因するラジオ受信機の、受信障害の発生を防止する又は受信障害の度合いを小さくするスイッチング周波数制御装置等を提供する。【解決手段】スイッチング周波数制御部は、変調方式が振幅変調である場合には、スイッチング周波数が振幅変調で使用される周波数帯域外の周波数になるようにスイッチング周波数を制御し、変調方式が周波数変調である場合には、スイッチング周波数が周波数変調で使用される周波数帯域外の周波数になるようスイッチング周波数を制御する。【選択図】図１
2011135168.tif 000002
【特許請求の範囲】
【請求項１】
ラジオ受信機とともに被搭載物に搭載される電子機器が備えるスイッチング素子のスイッチング周波数を制御するスイッチング周波数制御装置であって、
前記ラジオ受信機において選局されたラジオ局の放送波の変調方式が振幅変調であるか周波数変調であるかを特定する変調方式特定情報が入力される入力部と、
前記入力部に入力された前記変調方式特定情報が特定する前記変調方式に応じて前記スイッチング周波数を制御するスイッチング周波数制御手段と、を備え、
前記スイッチング周波数制御手段は、前記変調方式が前記振幅変調である場合には、前記スイッチング周波数が前記振幅変調で使用される周波数帯域外の周波数になるように前記スイッチング周波数を制御し、前記変調方式が前記周波数変調である場合には、前記スイッチング周波数が前記周波数変調で使用される周波数帯域外の周波数になるよう前記スイッチング周波数を制御する、
ことを特徴とするスイッチング周波数制御装置。
【請求項２】
前記スイッチング周波数制御手段は、前記変調方式が振幅変調である場合に、前記スイッチング周波数を前記振幅変調で使用される前記周波数帯域よりも高い周波数にする、
ことを特徴とする請求項１に記載のスイッチング周波数制御装置。
【請求項３】
前記スイッチング周波数制御手段は、前記変調方式が周波数変調である場合に、前記スイッチング周波数を前記周波数変調で使用される前記周波数帯域よりも低い周波数にする、
ことを特徴とする請求項１又は２に記載のスイッチング周波数制御装置。
【請求項４】
前記スイッチング周波数制御手段は、前記変調方式が周波数変調である場合に、前記スイッチング周波数を前記振幅変調で使用される前記周波数帯域よりも低い周波数にする、
ことを特徴とする請求項３に記載のスイッチング周波数制御装置。
【請求項５】
前記電子機器は、動作クロックを出力する動作クロック生成部を備え、
前記スイッチング周波数制御手段は、前記動作クロック生成部を制御することによって、前記スイッチング周波数を制御する、
ことを特徴とする請求項１乃至４のいずれか１項に記載のスイッチング周波数制御装置。
【請求項６】
前記動作クロック生成部は、可変抵抗負荷を備え、
前記スイッチング周波数制御手段は、前記可変抵抗負荷を制御することによって、前記スイッチング周波数を制御する、
ことを特徴とする請求項５に記載のスイッチング周波数制御装置。
【請求項７】
前記動作クロック生成部は、発振回路を備え、
前記スイッチング周波数制御手段は、前記発振回路を制御することによって、前記スイッチング周波数を制御する、
ことを特徴とする請求項５に記載のスイッチング周波数制御装置。
【請求項８】
ラジオ受信機とともに被搭載物に搭載される電子機器と、
請求項１乃至７のいずれか１項に記載のスイッチング周波数制御装置と、
を備えることを特徴とする電子機器ユニット。
【発明の詳細な説明】
【技術分野】
【０００１】
本発明は、ラジオ受信機とともに被搭載物（例えば、オートバイや自動車等の車両、船舶、建設機械等の乗り物）に搭載される電子機器が備えるスイッチング素子のスイッチング周波数を制御するスイッチング周波数制御装置及び電子機器ユニットに関する。
【背景技術】
【０００２】
上記のような電子機器には、スイッチング素子が使用される。このスイッチング素子は所定の動作クロックに従ってスイッチングを行う素子であるが、このスイッチングに起因してノイズが発生してしまうことがある。このノイズは、例えば、スイッチング周波数と同じ周波数を有する成分（基本波）を有する電磁波（妨害波）等である。このノイズの、基本波の周波数が、ラジオ受信機の選局周波数と一致した場合、電子機器と同一の被搭載物に搭載されるラジオ受信機において受信障害が発生することがある。この受信障害は、ノイズが、ラジオ受信機のアンテナ、アンテナからラジオ受信機本体までのケーブル等に入力（供給）されることによって発生する。
【０００３】
このような受信障害を解決するため、例えば特許文献１には、通信インターフェイス回路を介して同じ車両に搭載された受信機から該受信機が受信中の電波の周波数を特定する情報を入手し、発振回路の発振周波数及びその高調波の周波数が入手情報から特定した周波数に一致しないように発振回路の発振周波数を制御する技術が開示されている。
【先行技術文献】
【特許文献】
【０００４】
【特許文献１】特開２００６−２１７３７５号公報
【発明の概要】
【発明が解決しようとする課題】
【０００５】
しかし、特許文献１の技術では、発振回路の発振周波数及びその高調波の周波数が入手情報から特定した周波数に一致しないように発振回路の発振周波数を制御する技術の具体的な手法が開示されていない。また、特許文献１の技術では、選局したラジオ局が変更される毎に、発振回路の発振周波数及びその高調波の周波数が受信障害を発生させる周波数であるか判別するので、その処理が複雑化する場合がある。
【０００６】
本発明は、上記問題点に鑑みてなされたものであり、簡単な処理で、スイッチング素子のスイッチングに起因するラジオ受信機の、受信障害の発生を防止する又は受信障害の度合いを小さくするスイッチング周波数制御装置及び電子機器ユニットを提供することを目的とする。
【課題を解決するための手段】
【０００７】
上記課題を解決するため本発明の第１の観点に係るスイッチング周波数制御装置は、
ラジオ受信機とともに被搭載物に搭載される電子機器が備えるスイッチング素子のスイッチング周波数を制御するスイッチング周波数制御装置であって、
前記ラジオ受信機において選局されたラジオ局の放送波の変調方式が振幅変調であるか周波数変調であるかを特定する変調方式特定情報が入力される入力部と、
前記入力部に入力された前記変調方式特定情報が特定する前記変調方式に応じて前記スイッチング周波数を制御するスイッチング周波数制御手段と、を備え、
前記スイッチング周波数制御手段は、前記変調方式が前記振幅変調である場合には、前記スイッチング周波数が前記振幅変調で使用される周波数帯域外の周波数になるように前記スイッチング周波数を制御し、前記変調方式が前記周波数変調である場合には、前記スイッチング周波数が前記周波数変調で使用される周波数帯域外の周波数になるよう前記スイッチング周波数を制御する。
【０００８】
また、本発明の第２の観点に係る電子機器ユニットは、
ラジオ受信機とともに被搭載物に搭載される電子機器と、
前記スイッチング周波数制御装置と、
を備える。
【発明の効果】
【０００９】
本発明に係るスイッチング周波数制御装置によれば、スイッチング周波数が変調方式特定情報が特定する変調方式で使用される周波数帯域内に入らないように、変調方式に応じてスイッチング周波数を制御するので、簡単な処理で、スイッチング素子のスイッチングに起因するラジオ受信機の、受信障害の発生を防止する又は受信障害の度合いを小さくすることができる。
【図面の簡単な説明】
【００１０】
【図１】本発明の実施形態１に係るスイッチング周波数制御装置を含む電子機器ユニット等の構成を説明するための構成図である。
【図２】本発明の実施形態１に係るスイッチング周波数制御装置のスイッチング周波数制御部が行うスイッチング周波数制御処理のフローチャートである。
【図３】本発明の実施形態２に係るスイッチング周波数制御装置を含む電子機器ユニット等の構成を説明するための構成図である。
【図４】本発明の実施形態３に係るスイッチング周波数制御装置を含む電子機器ユニット等の構成を説明するための構成図である。
【発明を実施するための形態】
【００１１】
本発明に係る実施形態について図面を参照して説明する。なお、本発明は下記の実施形態によって限定されるものではない。本発明の要旨を変更しない範囲で、下記の実施形態に変更（構成要素の削除も含む）を加えることができるのはもちろんである。また、以下の説明では、本発明の理解を容易にするために、重要でない公知の技術的事項の説明を適宜省略する。
【００１２】
なお、以下の説明では、電子機器が、スイッチング素子によるスイッチングによって、入力電圧から所定の出力電圧を発生させるスイッチング電源装置であるとして説明する。また、被搭載物は、車両とする。また、スイッチング電源装置とスイッチング周波数制御装置とを含む電子機器ユニットは、ここでは、電源ユニットである。
【００１３】
（実施形態１）
図１のように、一つの車両１内には、電源ユニット１００、負荷装置９０、ラジオ受信機９５等が搭載される。電源ユニット１００は、スイッチング周波数制御装置１１０と、スイッチング電源装置１２０と、を備える。
【００１４】
スイッチング電源装置１２０は、動作クロック生成部１２３と電源回路１２１とを備える。
【００１５】
動作クロック生成部１２３は、所定の周波数の動作クロックを生成し、生成した動作クロックを電源回路１２１に供給する。動作クロック生成部１２３は、所定の発振回路を含む各種回路を含んで構成されるとともに、特に可変抵抗負荷１２３ａを備える。
【００１６】
可変抵抗負荷１２３ａは、第１の抵抗値と第２の抵抗値とを取り得る。この可変抵抗負荷１２３ａには、スイッチング周波数制御装置１１０から制御信号が供給される。この制御信号によって、可変抵抗負荷１２３ａの抵抗値が決まる。例えば、可変抵抗負荷１２３ａに第１の制御信号が供給された場合、それ以降の可変抵抗負荷１２３ａの抵抗値は第１の抵抗値になる。また、例えば、可変抵抗負荷１２３ａに第２の制御信号が供給された場合、それ以降の変抵抗負荷の抵抗値は第２の抵抗値になる。
【００１７】
可変抵抗負荷１２３ａは、例えば、電子ボリュームで構成されるか、トランジスタと抵抗との適宜の組み合わせ等によって構成される。動作クロック生成部１２３は、可変抵抗負荷１２３ａの抵抗値に応じた周波数を有する動作クロックを生成して出力する。
【００１８】
電源回路１２１には、所定の入力電圧が印加される。電源回路１２１は、動作クロック生成部１２３から供給される動作クロックに従って動作する。電源回路１２１は、スイッチング素子１２１ａ（例えば、スイッチングレギュレータ）と、インダクタ、コンデンサ、受動部品等によって構成されるスイッチング素子１２１ａの周辺回路等と、を含んで構成される。スイッチング素子１２１ａは、動作クロックに従ってスイッチング動作する。例えば、動作クロックがＨｉｇｈのときは、スイッチング素子１２１ａはＯＮ（又はＯＦＦ）になり、動作クロックがＬｏｗのときは、スイッチング素子１２１ａはＯＦＦ（又はＯＮ）になる。動作クロックの周波数と、スイッチング動作のスイッチング周波数と、は、同じ（誤差等を考慮した略同じを含む。本発明において、「同じ」、「同一」、「一致」等の表現について適宜同じ。）になる。ここで、スイッチング周波数とは、スイッチングのＯＮ及びＯＦＦの繰り返し（つまり、ＯＮから次のＯＮまで）の周期Ｔの逆数（１／Ｔ）である。スイッチング素子１２１ａのスイッチング動作等によって、電源回路１２１は、入力電圧を昇圧又は降圧させて所定の出力電圧（ここでは、直流電圧）を発生させ、発生させた電圧を負荷装置９０に印加する。電源回路１２１は、ここでは、定電圧電源を構成する。
【００１９】
上記のように、クロック周波数は、スイッチング素子１２１ａのスイッチング周波数と一定の関係（ここでは、同じ）になる。クロック周波数は、可変抵抗負荷１２３ａの抵抗値に依存する。このため、可変抵抗負荷１２３ａの抵抗値を決定することで、スイッチング周波数を決定できる。ここでは、第１の抵抗値を、スイッチング周波数が振幅変調（ＡＭ）で使用される周波数帯域（例えば、５２２ＫＨｚ〜１７１０ＫＨｚの帯域）に入らないような値にする。ここでは、第１の抵抗値を、スイッチング周波数が２ＭＨｚになるような値にする。また、第２の抵抗値を、スイッチング周波数が周波数変調（ＦＭ）で使用される周波数帯域（例えば、７６ＭＨｚ〜１０８ＭＨｚの帯域）に入らないような値にする。ここでは、第２の抵抗値を、スイッチング周波数が０．５ＭＨｚになるような値にする。
【００２０】
負荷装置９０は、電源回路１２１によって出力電圧が印加されて（電源回路１２１から電力が供給されて）、所定の動作を行う。負荷装置９０は、例えば、照明用のＬＥＤ（Light Emitting Diode）とその駆動回路とを備える装置である。
【００２１】
ラジオ受信機９５は、アンテナ、ラジオチューナ、スピーカ等を備え、ユーザによって選局されたラジオ局の放送波を受信し、受信した放送波を復調し、復調によって取り出した信号を用いて音声等を再生する。
【００２２】
ラジオ受信機９５は、ユーザによって選択されたラジオ局の放送波の変調方式を特定する変調方式特定情報を所定の信号としてスイッチング周波数制御装置１１０（入力部１１３）に供給する。変調方式は、ＡＭ又はＦＭである。
【００２３】
変調方式特定情報は、ユーザがＡＭ又はＦＭを選択するためにラジオチューナの操作部を操作したときのＡＭ又はＦＭを特定する操作情報、ユーザによって選局されたラジオ局（放送中のラジオ局）を特定するラジオ局特定情報等である。変調方式特定情報は、この変調方式特定情報に基づいて、放送中のラジオ局の放送波の変調方式（ラジオ受信機９５において選局されたラジオ局の放送波の変調方式）を特定出来る情報（ラジオ局特定情報等の直接特定出来る情報でなくてもよい）であればよい。なお、ラジオ受信機９５は、変調方式特定情報を、例えば、所定の間隔で、スイッチング周波数制御装置１１０に供給し続ける。
【００２４】
スイッチング周波数制御装置１１０は、入力部１１３とスイッチング周波数制御部１１１とを備える。
【００２５】
入力部１１３には、ラジオ受信機９５から変調方式特定情報が供給される（ここでは、所定の信号で供給される）。変調方式特定情報は、有線又は無線によって供給される。また、入力部１１３は、変調方式特定情報が有線によって供給される場合には、受動部品、トランジスタ等によって構成され、変調方式特定情報が無線によって供給される場合には、通信用のトランシーバ等で構成される。入力部１１３は、ラジオ受信機９５から供給される所定の信号に対しノイズ除去、レベル変換等を行って、変調方式特定情報を取得し、取得した変調方式特定情報をスイッチング周波数制御部１１１へ供給する。
【００２６】
スイッチング周波数制御部１１１は、ここでは、マイコンによって構成される。スイッチング周波数制御部１１１は、入力部１１３から供給された変調方式特定情報に基づいて、スイッチング周波数制御処理を行う。スイッチング周波数制御部１１１は、ＣＰＵ１１１ａ（Central Processing Unit）、ＲＡＭ１１１ｂ（Random Access Memory）、ＲＯＭ１１１ｃ（Read Only Memory）等を含んで構成される。
【００２７】
ＲＯＭ１１１ｃ（記憶媒体の一例）には、スイッチング周波数制御プログラム１１１ｄ、データ、データテーブル等が記録されている。スイッチング周波数制御プログラム１１１ｄは、コンピュータが読み取り可能な記憶媒体であって、持ち運び可能な記憶媒体に記録され、スイッチング周波数制御装置１１０にインストールされる場合もある。
【００２８】
ＣＰＵ１１１ａは、ＲＯＭ１１１ｃに記録されたスイッチング周波数制御プログラム１１１ｄに従ってスイッチング周波数制御処理を行う。また、ＣＰＵ１１１ａは、スイッチング周波数制御処理を行うときに、ＲＯＭ１１１ｃに記録されたデータ、データテーブル等を適宜使用する。
【００２９】
ＲＡＭ１１１ｂは、ＣＰＵ１１１ａのワーキングメモリ等として機能する。
【００３０】
スイッチング周波数制御部１１１は、スイッチング周波数制御処理で、入力部１１３に入力された変調方式特定情報が特定する変調方式に応じた制御信号を可変抵抗負荷１２３ａに供給する。例えば、スイッチング周波数制御部１１１は、変調方式特定情報が特定する変調方式がＦＭからＡＭに変更された場合（ＦＭのラジオ局からＡＭのラジオ局に選択変更された場合）、第１の制御信号を生成して可変抵抗負荷１２３ａに供給する。例えば、スイッチング周波数制御部１１１は、変調方式特定情報が特定する変調方式がＡＭからＦＭに変更された場合（ＡＭのラジオ局からＦＭのラジオ局に選択変更された場合）、第２の制御信号を生成して可変抵抗負荷１２３ａに供給する。このような処理によって、スイッチング周波数制御部１１１は、変調方式特定情報が特定する変調方式に応じて、動作クロックの周波数を制御し、スイッチング周波数を制御する。
【００３１】
なお、スイッチング周波数制御部１１１は、変調方式特定情報が変調方式を直接特定する情報である場合（ここでは、変調方式特定情報が操作情報である場合）には、この操作情報が特定する変調方式を用いてスイッチング周波数制御処理を行う。
【００３２】
また、スイッチング周波数制御部１１１は、変調方式特定情報が変調方式を直接特定する情報でない場合には、必要に応じて、例えばＲＯＭ１１１ｃに記録されたデータテーブルを参照して、変調方式特定情報が特定する変調方式を特定し、スイッチング周波数制御処理を行う。例えば、変調方式特定情報が前記のラジオ局特定情報である場合、ＲＯＭ１１１ｃには、各ラジオ局と各ラジオ局の変調方式とがそれぞれ対応付けられたデータテーブルが記録されているものとする。スイッチング周波数制御部１１１は、変調方式特定情報が特定するラジオ局をもとに、このデータテーブルを参照し、このラジオ局に対応する変調方式を特定する。これによって、スイッチング周波数制御部１１１は、変調方式特定情報が特定する変調方式をスイッチング周波数制御処理で使用できる。
【００３３】
次にスイッチング周波数制御部１１１が行うスイッチング周波数制御処理の詳細な一例を図２を参照して説明する。
【００３４】
この処理は、例えば、車両１の電源がＯＮの状態になったときを契機として始まる。また、この処理は、例えば、車両１の電源がＯＦＦの状態になったときに終了する。
【００３５】
車両１の電源が入ると、スイッチング周波数制御部１１１が起動し、まず、予め設定されている制御信号を可変抵抗負荷１２３ａに供給する（ステップＳ１０１）。この制御信号は、第１の制御信号又は第２の制御信号のどちらでもよい。どちらの制御信号を供給するかは、予め設定される。スイッチング周波数制御部１１１は、第１の制御信号を供給した場合にはＡＭを特定する特定情報をＲＡＭ１１１ｂに保持する。スイッチング周波数制御部１１１は、第２の制御信号を供給した場合にはＦＭを特定する特定情報をＲＡＭ１１１ｂに保持する。
【００３６】
次に、スイッチング周波数制御部１１１は、ラジオ受信機９５から入力部１１３を介して供給される変調方式特定情報に基づいて、ユーザによって選局されたラジオ局について変調方式が変更されたかを判別する（ステップＳ１０２）。
【００３７】
スイッチング周波数制御部１１１は、例えば、変調方式特定情報が特定する変調方式が、現在保持している特定情報が特定する変調方式と異なる場合に、変調方式が変更されたと判別し（ステップＳ１０２；ＹＥＳ）、ステップＳ１０３の処理を行う。変調方式が変更された場合、例えば、ユーザが直前に放送されていたラジオ局と異なる変調方式のラジオ局を選択したか、スイッチング周波数制御部１１１が上記で保持した情報が特定する変調方式と異なる変調方式のラジオ局が選択された状態でラジオ受信機９５の動作が開始したことになる。
【００３８】
スイッチング周波数制御部１１１は、例えば、変調方式特定情報が特定する変調方式が、現在保持している特定情報が特定する変調方式と同じ場合に、変調方式は変更されていないと判別し（ステップＳ１０２；ＮＯ）、再びステップＳ１０２の処理を行う。つまり、スイッチング周波数制御部１１１は、変調方式が変更されるまで、待機することになる。具体的には、ユーザがラジオ局を変更しない間、ユーザが同じ変調方式のラジオ局ばかりを変更選択する間、又は、スイッチング周波数制御部１１１が上記で保持した特定情報が特定する変調方式と同じ変調方式のラジオ局が選択された状態でラジオ受信機９５の動作したとき等は、スイッチング周波数制御部１１１は待機する。
【００３９】
スイッチング周波数制御部１１１は、ステップＳ１０３の処理において、所定の制御信号を供給し、可変抵抗負荷１２３ａの抵抗値を変更させる。スイッチング周波数制御部１１１は、現在保持している（ステップＳ１０２又は前回のステップＳ１０３において保持した）特定情報が特定する変調方式がＦＭで、入力部１１３から供給される変調方式特定情報が特定する変調方式がＡＭである場合（ＦＭからＡＭに変更された場合等）には、第１の制御信号を生成し、可変抵抗負荷１２３ａに供給する。これによって、スイッチング周波数は、２ＭＨｚに変更される。スイッチング周波数制御部１１１は、現在保持している特定情報が特定する変調方式がＡＭで、入力部１１３から供給される変調方式特定情報が特定する変調方式がＦＭである場合（ＡＭからＦＭに変更された場合等）には、第２の制御信号を生成し、可変抵抗負荷１２３ａに供給する。これによって、スイッチング周波数は、０．５ＭＨｚに変更される。また、スイッチング周波数制御部１１１は、ステップＳ１０３の処理において、入力部１１３から供給された変調方式特定情報が特定する変調方式を現在の変調方式として、この変調方式を特定する特定情報をステップＳ１０１の処理と同様、ＲＡＭ１１１ｂに保持する（なお、このとき、過去の特定情報は削除される）。スイッチング周波数制御部１１１は、ステップＳ１０３の処理の後、再びステップＳ１０２の処理を行う。
【００４０】
本実施形態では、上記で説明した構成によって、スイッチング周波数制御装置１１０のスイッチング周波数制御部１１１が、変調方式特定情報が特定する変調方式が振幅変調である場合に、スイッチング周波数が振幅変調で使用される周波数帯域外の周波数になるようにスイッチング周波数を制御し、変調方式が周波数変調である場合に、スイッチング周波数が周波数変調で使用される周波数帯域外の周波数になるようにスイッチング周波数を制御する。
【００４１】
スイッチング周波数制御部１１１は、スイッチング周波数が、現在のラジオ受信機９５で受信しているラジオ局の変調方式で使用される帯域内の周波数にならないように、スイッチング周波数を制御するので、スイッチング周波数が、現在選択されている放送局の放送波の周波数と一致することはない。また、これによって、ノイズの基本波の周波数が現在選択されている放送局の放送波の周波数と一致しないので、スイッチング素子１２１ａのスイッチングに起因するラジオ受信機９５の、受信障害の発生を防止する又は受信障害の度合いを小さくすることができる。また、スイッチング周波数制御部１１１は、放送するラジオ局が変更されてもスイッチング周波数が受信障害を発生させる周波数であるかの判別を行わずに、変調方式に応じてスイッチング周波数を変更するので、放送するラジオ局の変調方式が変わらない限り上記のような処理を行わないので、その処理が簡単である。
【００４２】
また、本実施形態では、スイッチング周波数制御部１１１は、スイッチング周波数及びその高調周波数が選局したラジオ局の周波数に一致しないようにスイッチング周波数を制御する（従来技術）のではなく、予め定められているスイッチング周波数（ここでは、２通りのスイッチング周波数）のみによって、スイッチング周波数制御処理を行うので、特にその処理が簡単になる。
【００４３】
ところで、ノイズは、上記の基本波の他、この基本波の周波数を整数倍した周波数を有する成分（高調波）も含まれる。この高調波の周波数が、選局されたラジオ局の周波数（選局周波数）と一致した場合にも、受信障害が生じる場合がある。なお、この高調波は、周波数が大きいものであるほど（大きい数で整数倍したものほど）、ノイズとしてのレベルは低くなる。
【００４４】
ノイズの基本波の周波数が選局周波数と一致しなければ、このノイズの高調波の周波数もスイッチング周波数と一致しない場合があり、また、一致したとしても周波数が一致する高調波は、ノイズとしてのレベルは十分低い場合もある。このため、上記で説明したように、ノイズの基本波の周波数（つまり、スイッチング周波数）が選局周波数と一致しないようにする制御をすれば、受信障害の発生を防止する又は受信障害の度合いを小さくするという一定の効果は期待できる。
【００４５】
本実施形態では、スイッチング周波数制御部１１１は、現在選択されているラジオ局の変調方式がＡＭである場合に、スイッチング周波数をＡＭで使用される周波数帯域よりも高い周波数（ここでは、２ＭＨｚであるが、他の周波数でもよい（例えば、１．８ＭＨｚ以上の周波数）。）にしている。このような周波数は、ＡＭで使用される周波数帯域よりも高い周波数である。この場合、現在選択されているラジオ局の放送波の周波数は、スイッチング周波数よりも小さくなる。このため、ノイズの、基本波の周波数及び高調波の周波数が、ラジオ局の放送波の周波数と一致することはないので、ＡＭ放送がラジオ受信機９５で行われている場合において、精度良く、受信障害の発生を防止する又は受信障害の度合いを小さくすることができる。
【００４６】
また、本実施形態では、スイッチング周波数制御部１１１は、現在選択されているラジオ局の変調方式がＦＭである場合に、スイッチング周波数をＦＭで使用される周波数帯域よりも低い周波数（ここでは、０．５ＭＨｚであるが、他の周波数でもよい。）にしている。この場合、現在選択されているラジオ局の放送波の周波数は、スイッチング周波数よりも大きくなる。このため、ノイズの基本波の周波数がラジオ局の放送波の周波数と一致することはないので、ＦＭ放送がラジオ受信機９５で行われている場合において受信障害の発生を防止する又は受信障害の度合いを小さくすることができる。
【００４７】
また、このようなスイッチング周波数は、下記のように、高次の高調波が、受信障害に影響が無いか、殆ど影響しない程度のノイズレベルになるように、例えば、周波数を３０〜９０倍してもＦＭで使用される周波数帯よりも低い周波数（ＦＭで使用される周波数帯よりも十分低い周波数）であることが望ましい。
【００４８】
本実施形態では、スイッチング周波数制御部１１１は、現在選択されているラジオ局の変調方式がＦＭである場合に、スイッチング周波数をＡＭで使用される周波数帯域よりも低い周波数にする（ここでは、０．５ＭＨｚであるが、他の周波数でもよい。）。このような周波数は、ＦＭで使用される周波数帯域よりも十分に低い周波数である。この場合、現在選択されているラジオ局の放送波の周波数は、スイッチング周波数よりも十分大きくなる。このため、ノイズの基本波の高調波の周波数がラジオ局の放送波の周波数と一致したとしても、高次の高調波は十分に減衰しているのでノイズの高調波の受信障害への影響は小さい。このため、ＦＭの放送局の放送がラジオ受信機９５で行われている場合において、スイッチング周波数制御部１１１は、より受信障害の発生を防止する又は受信障害の度合いを小さくすることができる。
【００４９】
ここで、ラジオ受信機９５で選択されているラジオ局の放送波の周波数が大きい場合に、スイッチング周波数制御部１１１が、仮に、従来技術と同様に、スイッチング周波数及びその高調周波数がラジオ局の放送波の周波数に一致しないようにスイッチング周波数を制御しようとした場合、スイッチング周波数を十分に低くすることが困難になる場合がある。この理由を下記に示す。
【００５０】
まず、スイッチング周波数が仮に１ＭＨｚ程度である場合、実際は、その誤差が通常１％程度存在してしまう。また、ラジオ局の放送波の周波数が仮に１００ＭＨｚである場合、スイッチング周波数の１００倍の周波数を有する高調波がラジオ局の放送波の周波数付近に発生する。高調波の周波数の実際の誤差は１ＭＨｚ（１ＭＨｚ×０．０１×１００）となり、１ＭＨｚ毎に発生する高調波の周波数誤差が１ＭＨｚとなる。つまり、周波数誤差が大きく、高調波の取り得る周波数が広くなりすぎる。このとき、スイッチング周波数を、ラジオ受信機９５で選択されているラジオ局の放送波の周波数よりも十分に低くしたい場合（例えば、１ＭＨｚ周辺にしたい場合）には、周波数誤差が大きいので、周波数が一致しないようにする上記従来技術の制御が困難なものになる。
【００５１】
本実施形態では、上述のように、スイッチング周波数制御処理においてスイッチング周波数が予め定められているので、スイッチング周波数を簡単な処理で制御できる。
【００５２】
なお、本実施形態では、スイッチング電源装置１２０は、動作クロックを出力する動作クロック生成部１２３を備え、スイッチング周波数制御部１１１は、動作クロック生成部１２３を制御することによって、スイッチング周波数を制御している。これによって、スイッチング周波数を制御し易い。また、動作クロック生成部１２３は、可変抵抗負荷１２３ａを備え、スイッチング周波数制御部１１１は、可変抵抗負荷１２３ａを制御することによって、スイッチング周波数を制御しているので、これによって、スイッチング周波数を制御し易い。
【００５３】
（実施形態２）
次に実施形態２について、図３を参照して説明する。実施形態２では、電源ユニット２００内のスイッチング電源装置２２０の構造が実施形態１のものと異なる。また、スイッチング周波数制御部２１１の処理内容も一部異なる。下記では、実施形態２について、実施形態１と異なる部分を中心にして説明する。また、実施形態１と実施形態２とで対応するもの、同様のものには、同じ符号を付して説明する。
【００５４】
スイッチング電源装置２２０は、動作クロック生成部２２３と電源回路１２１とを備える。動作クロック生成部２２３は、可変抵抗負荷１２３ａの代わりに抵抗値固定の抵抗負荷２２３ａ（トランジスタと抵抗との適宜の組み合わせ等によって構成される。）を備える。動作クロック生成部２２３は、実施形態１の動作クロック生成部１２３と同様、所定の周波数の動作クロックを生成して電源回路１２１に供給する。動作クロック生成部２２３は、各種回路を含んで構成される。動作クロック生成部２２３は、電源回路１２１内に組み込まれたものであってもよい。
【００５５】
動作クロック生成部２２３は、スイッチング周波数制御装置２１０（後述のマイコン）からの制御信号に応じて、周波数の異なる、第１の動作クロック又は第２の動作クロックを生成して出力するように構成される。電源回路１２１（特に、スイッチング素子１２１ａ）は、第１の動作クロック又は第２の動作クロックに従って動作する。
【００５６】
実施形態１のように、動作クロックのクロック周波数は、スイッチング素子１２１ａのスイッチング周波数と一定の関係（ここでは、同じ）になる。このため、動作クロックの周波数を決定することで、スイッチング周波数を決定できる。ここでは、第１の動作クロックの周波数を、スイッチング周波数が振幅変調（ＡＭ）で使用される周波数帯域に入らないような値にする。また、第２の動作クロックの周波数を、スイッチング周波数が周波数変調（ＦＭ）で使用される周波数帯域に入らないような値にする。
【００５７】
スイッチング周波数制御部２１１は、実施形態１と同様、マイコンによって構成される。スイッチング周波数制御部２１１は、入力部１１３から供給された変調方式特定情報に基づいて、スイッチング周波数制御処理を行う。スイッチング周波数制御部２１１は、実施形態１と同様、ＣＰＵ２１１ａ、ＲＡＭ２１１ｂ、ＲＯＭ２１１ｃ等を含んで構成される（これら各構成要素やスイッチング周波数制御プログラム２１１ｄは、実施形態１のものとそれぞれ対応するので説明を省略する）。
【００５８】
スイッチング周波数制御部２１１は、スイッチング周波数制御処理で、入力部１１３に入力された変調方式特定情報が特定する変調方式に応じた制御信号を動作クロック生成部２２３に供給する。例えば、スイッチング周波数制御部２１１は、変調方式特定情報が特定する変調方式がＦＭからＡＭに変更された場合、動作クロック生成部２２３が第１の動作クロックを生成するような制御信号を生成して動作クロック生成部２２３に供給する。例えば、スイッチング周波数制御部２１１は、変調方式特定情報が特定する変調方式がＡＭからＦＭに変更された場合、動作クロック生成部２２３が第２の動作クロックを生成するような制御信号を生成して動作クロック生成部２２３に供給する。このような処理によって、スイッチング周波数制御部２１１は、変調方式特定情報が特定する変調方式に応じて、動作クロックの周波数を制御し、スイッチング周波数を制御する。
【００５９】
本実施形態でも、スイッチング電源装置２２０は、動作クロックを出力する動作クロック生成部２２３を備え、スイッチング周波数制御部２１１は、可変抵抗負荷１２３ａではなく、動作クロック生成部２２３を制御することによって、スイッチング周波数を制御している。これにより、スイッチング周波数を制御し易い。
【００６０】
本実施形態についての他の説明については、実施形態１と同様であるので、説明を省略する。なお、本実施形態におけるスイッチング周波数制御部２１１のスイッチング周波数処理のフローも、制御信号の供給先、制御信号の内容及び取り扱い等が実施形態１と異なるだけで、基本的なフローは同じなので説明を省略する。
【００６１】
（実施形態３）
次に実施形態３について、図４を参照して説明する。実施形態３では、電源ユニット３００内のスイッチング電源装置３２０の構造が実施形態１のものと異なる。また、スイッチング周波数制御部３１１の処理内容も一部異なる。下記では、実施形態３について、実施形態１と異なる部分を中心にして説明する。また、実施形態１と実施形態３とで対応するもの、同様のものには、同じ符号を付して説明する。
【００６２】
スイッチング電源装置３２０は、動作クロック生成部３２３と電源回路１２１とを備える。動作クロック生成部３２３は、例えば、発振回路（ＶＣＯ（voltage controlled oscillator）等を備えるＰＬＬ（Phase-locked loop）回路等で構成される。）によって構成される。動作クロック生成部３２３は、実施形態１の動作クロック生成部１２３と同様、所定の周波数の動作クロックを生成して電源回路１２１に供給する。動作クロック生成部３２３は、電源回路１２１内に組み込まれたものであってもよい。
【００６３】
動作クロック生成部３２３は、スイッチング周波数制御装置３１０（後述のマイコン）からの制御信号に応じて、周波数の異なる、第１の動作クロック又は第２の動作クロックを生成して出力するように構成される。電源回路１２１（特に、スイッチング素子１２１ａ）は、第１の動作クロック又は第２の動作クロックに従って動作する。
【００６４】
実施形態１のように、動作クロックのクロック周波数は、スイッチング素子１２１ａのスイッチング周波数と一定の関係（ここでは、同じ）になる。このため、動作クロックの周波数を決定することで、スイッチング周波数を決定できる。ここでは、第１の動作クロックの周波数を、スイッチング周波数が振幅変調（ＡＭ）で使用される周波数帯域に入らないような値にする。また、第２の動作クロックの周波数を、スイッチング周波数が周波数変調（ＦＭ）で使用される周波数帯域に入らないような値にする。
【００６５】
スイッチング周波数制御部３１１は、実施形態１と同様、マイコンによって構成される。スイッチング周波数制御部３１１は、入力部１１３から供給された変調方式特定情報に基づいて、スイッチング周波数制御処理を行う。スイッチング周波数制御部３１１は、実施形態１と同様、ＣＰＵ３１１ａ、ＲＡＭ３１１ｂ、ＲＯＭ３１１ｃ等を含んで構成される（これら各構成要素やスイッチング周波数制御プログラム３１１ｄは、実施形態１のものとそれぞれ対応するので説明を省略する）。
【００６６】
スイッチング周波数制御部３１１は、スイッチング周波数制御処理で、入力部１１３に入力された変調方式特定情報が特定する変調方式に応じた制御信号を動作クロック生成部３２３に供給する。例えば、スイッチング周波数制御部３１１は、変調方式特定情報が特定する変調方式がＦＭからＡＭに変更された場合、動作クロック生成部３２３が第１の動作クロックを生成するような制御信号を生成して動作クロック生成部３２３に供給する。例えば、スイッチング周波数制御部３１１は、変調方式特定情報が特定する変調方式がＡＭからＦＭに変更された場合、動作クロック生成部３２３が第２の動作クロックを生成するような制御信号を生成して動作クロック生成部３２３に供給する。このような処理によって、スイッチング周波数制御部３１１は、変調方式特定情報が特定する変調方式に応じて、動作クロックの周波数を制御し、スイッチング周波数を制御する。
【００６７】
本実施形態でも、スイッチング電源装置３２０は、動作クロックを出力する動作クロック生成部３２３を備え、スイッチング周波数制御部３１１は、可変抵抗負荷１２３ａではなく、動作クロック生成部３２３を制御することによって、スイッチング周波数を制御している。これにより、スイッチング周波数を制御し易い。また、動作クロック生成部３２３が動作クロックの周波数を可変できる発振回路によって構成されているため、動作クロックの周波数を制御しやすい。
【００６８】
本実施形態についての他の説明については、実施形態１と同様であるので、説明を省略する。なお、本実施形態におけるスイッチング周波数制御部３１１のスイッチング周波数処理のフローも、制御信号の供給先、制御信号の内容及び取り扱い等が実施形態１と異なるだけで、基本的なフローは同じなので説明を省略する。
【符号の説明】
【００６９】
１              車両
９０            負荷装置
９５            ラジオ受信機
１００          電源ユニット
１１０          スイッチング周波数制御装置
１１１          スイッチング周波数制御部
１１１ａ        ＣＰＵ
１１１ｂ        ＲＡＭ
１１１ｃ        ＲＯＭ
１１１ｄ        スイッチング周波数制御プログラム
１１３          入力部
１２０          スイッチング電源装置
１２１          電源回路
１２１ａ        スイッチング素子
１２３          動作クロック生成部
１２３ａ        可変抵抗負荷
２００          電源ユニット
２１０          スイッチング周波数制御装置
２１１          スイッチング周波数制御部
２１１ａ        ＣＰＵ
２１１ｂ        ＲＡＭ
２１１ｃ        ＲＯＭ
２１１ｄ        スイッチング周波数制御プログラム
２２０          スイッチング電源装置
２２３          動作クロック生成部
２２３ａ        抵抗負荷
３００          電源ユニット
３１０          スイッチング周波数制御装置
３１１          スイッチング周波数制御部
３１１ａ        ＣＰＵ
３１１ｂ        ＲＡＭ
３１１ｃ        ＲＯＭ
３１１ｄ        スイッチング周波数制御プログラム
３２０          スイッチング電源装置
３２３          動作クロック生成部
【図１】
2011135168.tif 000003
【図２】
2011135168.tif 000004
【図３】
2011135168.tif 000005
【図４】
2011135168.tif 000006